(57)【要約】  無線通信システム（１）は、第１の無線リソースを用いた無線端末（２０）間通信の品質に応じて、上記無線端末（２０）のいずれかが、上記第１の無線リソースに関連付けられた第２の無線リソースを用いて、第１の信号を無線基地局（１０）に送信する。
2015198374.tif 000002
【特許請求の範囲】
【請求項１】
第１の無線リソースを用いた無線端末間通信の品質に応じて、前記無線端末のいずれかが、前記第１の無線リソースに関連付けられた第２の無線リソースを用いて、第１の信号を無線基地局に送信する、無線通信システム。
【請求項２】
請求項１に記載の無線通信システムであって、
前記無線基地局が、前記第１の無線リソースと関連付けられた第３の無線リソースを用いて、前記無線端末間通信を制御する第２の信号を前記無線端末へ送信する、無線通信システム。
【請求項３】
請求項２に記載の無線通信システムであって、
前記無線基地局は、前記無線端末間通信を抑制する信号を、前記第２の信号として、前記第３の無線リソースを用いて送信する、無線通信システム。
【請求項４】
請求項１乃至請求項３のいずれか一項に記載の無線通信システムであって、
前記無線端末は、前記無線端末間通信の品質が所定の閾値品質よりも低い場合、オンオフ変調においてオンに対応する信号を、前記第１の信号として、前記第２の無線リソースを用いて送信する、無線通信システム。
【請求項５】
請求項１乃至請求項４のいずれか一項に記載の無線通信システムであって、
無線リソースは、時間及び周波数により識別され、
前記第２の無線リソースは、時間軸に沿って周期的に割り当てられる、無線通信システム。
【請求項６】
請求項４に記載の無線通信システムであって、
前記無線端末間通信の品質は、前記無線端末の間で送信される無線信号の受信ＳＩＲ（Ｓｉｇｎａｌ  ｔｏ  Ｉｎｔｅｒｆｅｒｅｎｃｅ  Ｒａｔｉｏ）、前記無線端末の間で送信される無線信号の受信ＳＩＮＲ（Ｓｉｇｎａｌ−ｔｏ−Ｉｎｔｅｒｆｅｒｅｎｃｅ  Ｐｌｕｓ  Ｎｏｉｓｅ  Ｐｏｗｅｒ  Ｒａｔｉｏ）、又は、前記無線端末の間で送信される無線信号の受信信号に対する測定の結果から得られるＣＱＩ（Ｃｈａｎｎｅｌ  Ｑｕａｌｉｔｙ  Ｉｎｄｉｃａｔｉｏｎ）である、無線通信システム。
【請求項７】
請求項３に記載の無線通信システムであって、
前記第２の信号は、前記無線端末の送信電力を調整することに関する情報を含む、無線通信システム。
【請求項８】
請求項１乃至請求項７のいずれか一項に記載の無線通信システムであって、
前記第１の無線リソースを含む複数の無線リソースを用いた複数の無線端末間通信の品質に応じて、複数の無線端末が、互いに直交する複数の前記第１の信号を前記第２の無線リソースを用いて、それぞれ送信する、無線通信システム。
【請求項９】
請求項８に記載の無線通信システムであって、
前記第１の信号は、Ｚａｄｏｆｆ−Ｃｈｕシーケンスである、無線通信システム。
【請求項１０】
第１の無線リソースを用いた無線端末間通信の品質を検出する検出部と、
前記検出された品質に応じて、前記第１の無線リソースに関連付けられた第２の無線リソースを用いて、第１の信号を無線基地局に送信する送信部と、
を備える、無線端末。
【請求項１１】
請求項１０に記載の無線端末であって、
前記無線基地局により送信された、前記無線端末間通信を制御する第２の信号を、前記第１の無線リソースと関連付けられた第３の無線リソースを用いて受信する受信部を備える、無線端末。
【請求項１２】
第１の無線リソースを用いた無線端末間通信の品質を検出し、
前記検出された品質に応じて、前記第１の無線リソースに関連付けられた第２の無線リソースを用いて、第１の信号を無線基地局に送信する、
無線端末の通信方法。
【請求項１３】
請求項１２に記載の無線端末の通信方法であって、
前記無線基地局により送信された、前記無線端末間通信を制御する第２の信号を、前記第１の無線リソースと関連付けられた第３の無線リソースを用いて受信する、無線端末の通信方法。
【請求項１４】
無線端末間通信に対する第１の無線リソースの割り当てを制御する制御部と、
前記第１の無線リソースを用いた無線端末間通信の品質に応じて、前記無線端末のいずれかにより送信された第１の信号を、前記第１の無線リソースに関連付けられた第２の無線リソースを用いて受信する受信部と、
を備える、無線基地局。
【請求項１５】
請求項１４に記載の無線基地局であって、
前記第１の無線リソースと関連付けられた第３の無線リソースを用いて、前記無線端末間通信を制御する第２の信号を前記無線端末へ送信する送信部を備える、無線基地局。
【請求項１６】
無線端末間通信に対する第１の無線リソースの割り当てを制御し、
前記第１の無線リソースを用いた無線端末間通信の品質に応じて、前記無線端末のいずれかにより送信された第１の信号を、前記第１の無線リソースに関連付けられた第２の無線リソースを用いて受信する、
無線基地局の通信方法。
【請求項１７】
請求項１６に記載の無線基地局の通信方法であって、
前記第１の無線リソースと関連付けられた第３の無線リソースを用いて、前記無線端末間通信を制御する第２の信号を前記無線端末へ送信する、無線基地局の通信方法。
【発明の詳細な説明】
【技術分野】
【０００１】
本発明は、無線通信システム、無線端末、無線端末の通信方法、無線基地局、及び、無線基地局の通信方法に関するものであり、具体的には、例えば、無線基地局を介した無線端末間の通信に加えて、無線端末間における直接無線通信が行なわれる無線通信システムに関連する。また、例えば、移動体無線通信システムの標準化作業を行っている３ＧＰＰにおいて仕様策定作業が継続的かつ発展的に行われているＬＴＥ（Ｌｏｎｇ  Ｔｅｒｍ  Ｅｖｏｌｕｔｉｏｎ）−Ａｄｖａｎｃｅｄを適用対象とするものである。
【背景技術】
【０００２】
複数の無線端末と無線基地局とを備える無線通信システムにおいて、複数の無線端末は、無線基地局を介した通信と、無線基地局を介さない直接の通信と、を行なう（例えば、特許文献１及び２を参照）。例えば、無線端末間の直接の通信は、無線端末間（Ｄ２Ｄ；Ｄｅｖｉｃｅ  ｔｏ  Ｄｅｖｉｃｅ）通信と表される。また、無線基地局を介した通信は、例えば、セルラー通信と表される。無線通信システムの一つであるＬＴＥの標準化を行なう団体である３ＧＰＰにおいて、ＬＴＥにＤ２Ｄ通信の機能を加える目的で、技術議論、及び、仕様策定の作業が行なわれている。
【先行技術文献】
【特許文献】
【０００３】
【特許文献１】特表２０１２−５０７９７５号公報
【特許文献２】国際公開第２０１４／０１７４９８号
【発明の概要】
【発明が解決しようとする課題】
【０００４】
しかしながら、上記無線通信システムにおいては、共通する（例えば、同一の）無線リソース上において並列に（例えば、同時に）行なわれる複数の異なる無線端末間通信間で生じる無線信号の干渉を原因とする無線通信品質の低下により、無線端末間通信を行なう場合に無線リソースを有効に利用できないことがある。【０００５】
一つの側面として、本発明の目的の一つは、共通する無線リソースを用いて複数の無線端末間通信を行なう場合において無線リソースを有効に利用することにある。
【課題を解決するための手段】
【０００６】
一つの側面では、無線通信システムは、第１の無線リソースを用いた無線端末間通信の品質に応じて、上記無線端末のいずれかが、上記第１の無線リソースに関連付けられた第２の無線リソースを用いて、第１の信号を無線基地局に送信する。
【発明の効果】
【０００７】
共通する無線リソースを用いて複数の無線端末間通信が行なわれる場合において無線リソースを有効に利用できる。
【図面の簡単な説明】
【０００８】
【図１】複数のＤ２Ｄ通信が並列に行なわれる場合における無線通信システムの状態の一例を概念的に示した説明図である。
【図２】Ｄ２Ｄ通信及びセルラー通信に割り当てられる周波数帯域の一例を概念的に示した説明図である。
【図３】第１実施形態に係る無線通信システムの構成例を表すブロック図である。
【図４】図３に示す無線基地局の構成の一例を表すブロック図である。
【図５】図３に示す無線端末の構成の一例を表すブロック図である。
【図６】図３に示す無線基地局の機能の一例を表すブロック図である。
【図７】Ｄ２Ｄ通信リソース及び品質通知リソースの割り当ての一例を概念的に示した説明図である。
【図８】Ｄ２Ｄ通信制御リソースの割り当ての一例を概念的に示した説明図である。
【図９】図３に示す無線端末の機能の一例を表すブロック図である。
【図１０】図３に示す無線端末が、測定結果報告信号を送信するために実行する処理の一例を示すフローチャートである。
【図１１】図３に示す無線端末が、Ｄ２Ｄ通信又はセルラー通信を行なうために実行する処理の一例を示すフローチャートである。
【図１２】図３に示す無線基地局が、無線リソースの割り当てを行なうために実行する処理の一例を示すフローチャートである。
【図１３】図３に示す無線端末が、品質通知信号を送信するために実行する処理の一例を示すフローチャートである。
【図１４】図３に示す無線基地局が、Ｄ２Ｄ通信制御信号を送信するために実行する処理の一例を示すフローチャートである。
【図１５】図３に示す無線端末が、抑制制御を行なうために実行する処理の一例を示すフローチャートである。
【図１６】図３に示す無線通信システムの動作の一例を表すシーケンス図である。
【図１７】無線基地局における、品質通知リソースに対する受信電力の変化の一例を表すグラフである。
【図１８】第２実施形態に係る無線通信システムにおける、Ｄ２Ｄ通信リソース及び品質通知リソースの割り当ての一例を概念的に示した説明図である。
【発明を実施するための形態】
【０００９】
以下、図面を参照して本発明の実施形態を説明する。ただし、以下に説明される実施形態は例示である。従って、以下に明示しない種々の変形や技術が実施形態に適用されることは排除されない。なお、以下の実施形態で用いる図面において、同一の符号を付した部分は、変更又は変形が明示されない限り、同一若しくは同様の部分を表す。
【００１０】
＜第１実施形態＞
Ｄ２Ｄ通信を行なう無線通信システムは、図１に例示するように、無線基地局９１と、複数の無線端末９２−１〜９２−７と、を備える。無線端末９２−ｉは、無線端末＃ｉと表されてよい。ここで、ｉは、１から７までの整数を表す。
【００１１】
複数のＤ２Ｄ通信が並列に行なわれる場合、無線信号が複数のＤ２Ｄ通信間で相互に干渉することがある。例えば、ある周波数帯域を有する無線リソースが、複数のＤ２Ｄ通信に対して割り当てられた場合、複数のＤ２Ｄ通信を行なう無線端末間の距離が短くなるほど、干渉によってＤ２Ｄ通信の品質が低下する。
【００１２】
図２に例示するように、無線端末＃３と無線端末＃４との間のＤ２Ｄ通信、無線端末＃５と無線端末＃６との間のＤ２Ｄ通信、及び、無線基地局と無線端末＃７との間の通信に、周波数帯域ＦＢを有する無線リソースが割り当てられた場合を想定する。この場合、例えば、無線端末＃３及び無線端末＃５の間の距離が短くなるほど、干渉によってＤ２Ｄ通信の品質が低下する。
【００１３】
複数のＤ２Ｄ通信間の干渉を制御するため、無線端末＃３〜＃６がＤ２Ｄ通信の品質に基づいてＤ２Ｄ通信を自律的に制御する（例えば、送信電力を制御する）ことが考えられる。この場合、無線基地局９１は、Ｄ２Ｄ通信を常時直接制御しないため、無線基地局９１と無線端末＃７との間の通信の品質を制御することが難しくなる。
【００１４】
一方、無線基地局９１がＤ２Ｄ通信を制御する場合、無線基地局９１は、Ｄ２Ｄ通信の品質に関する情報を無線端末＃３〜＃６から取得する必要がある。この場合、無線端末＃３〜＃６からのＤ２Ｄ通信の品質に関する情報を含む信号の送信に、無線端末＃３〜＃６毎に個別の無線リソースを割り当てることが考えられる。この場合、上記送信に割り当てられる無線リソースは、Ｄ２Ｄ通信の数が増加するほど増加する。増加に伴って、データ信号の送信のために利用できる無線リソースの量が減少する。従って、無線リソースを有効に利用できないことがある。
【００１５】
これに対し、第１実施形態に係る無線通信システムは、第１の無線リソースを用いたＤ２Ｄ通信の品質に応じて、無線端末のいずれかが、第１の無線リソースに関連付けられた第２の無線リソースを用いて、第１の信号を無線基地局に送信する。これによれば、Ｄ２Ｄ通信の品質の制御を無線基地局が行なった場合においても、無線リソースを有効に利用できる。
【００１６】
以下、第１実施形態に係る無線通信システムについて詳細に説明する。
（構成）
図３に示すように、第１実施形態に係る無線通信システム１は、例示的に、Ｍ個の無線基地局１０−１，１０−２，…，１０−Ｍと、Ｎ個の無線端末２０−１，２０−２，…，２０−Ｎと、を備える。
【００１７】
本例では、Ｍは、１以上の整数を表す。また、以下において、無線基地局１０−ｍは、区別する必要がない場合、無線基地局１０とも表される。ｍは、１からＭの整数を表す。本例では、Ｎは、２以上の整数を表す。また、以下において、無線端末２０−ｎは、区別する必要がない場合、無線端末２０とも表される。ｎは、１からＮの整数を表す。
【００１８】
無線通信システム１は、無線基地局１０と無線端末２０との間で、予め定められた無線通信方式に従った無線通信を行なう。例えば、無線通信方式は、ＬＴＥ−Ａｄｖａｎｃｅｄ方式である。ＬＴＥは、Ｌｏｎｇ  Ｔｅｒｍ  Ｅｖｏｌｕｔｉｏｎの略記である。なお、無線通信方式は、ＬＴＥ−Ａｄｖａｎｃｅｄ方式と異なる方式（例えば、ＬＴＥ、又は、ＷｉＭＡＸ（登録商標）等の方式）であってもよい。ＷｉＭＡＸは、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓの略記である。
【００１９】
本例では、各無線基地局１０は、１つの無線エリアを形成する。なお、各無線基地局１０は、複数の無線エリアを形成してもよい。無線エリアは、無線セル、カバレッジ・エリア、又は、通信エリアと表されてもよい。例えば、無線エリアは、マクロセル、マイクロセル、ナノセル、ピコセル、フェムトセル、ホームセル、又は、セクタセル等のセルである。
【００２０】
また、各無線基地局１０は、ｅＮＢ（Ｅｖｏｌｖｅｄ  Ｎｏｄｅ  Ｂ）、ＮＢ（Ｎｏｄｅ  Ｂ）、マクロ無線基地局、マイクロ無線基地局、ナノ無線基地局、ピコ無線基地局、フェムト無線基地局、又は、ホーム無線基地局であってもよい。
【００２１】
本例では、各無線基地局１０は、有線通信可能な通信網（例えば、コアネットワーク）ＮＷに接続されている。なお、各無線基地局１０は、無線通信可能な通信網ＮＷに接続されていてもよい。無線基地局１０と通信網ＮＷとの間のインタフェースは、Ｓ１インタフェースと呼ばれてもよい。また、無線基地局１０間のインタフェースは、Ｘ２インタフェースと呼ばれてもよい。
【００２２】
また、無線基地局１０、及び、無線通信システム１のうちの無線基地局１０よりも通信網（即ち、上位）ＮＷ側の部分は、Ｅ−ＵＴＲＡＮと呼ばれてもよい。Ｅ−ＵＴＲＡＮは、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋの略記である。
【００２３】
本例では、各無線端末２０は、無線装置、移動局、移動端末、端末装置、又は、ユーザ端末（ＵＥ；Ｕｓｅｒ  Ｅｑｕｉｐｍｅｎｔ）と呼ばれてもよい。例えば、各無線端末２０は、携帯電話機、スマートフォン、センサ、又は、メータ（測定器）等である。各無線端末２０は、ユーザによって携帯されていてもよいし、車両等の移動体に搭載されていてもよいし、固定されていてもよい。
【００２４】
各無線基地局１０は、自局１０が形成する無線エリアにおいて行なわれる通信に無線リソースを割り当てる。本例では、無線リソースは、時間及び周波数により識別される。各無線端末２０は、無線エリアにおいて、当該無線エリアを形成する無線基地局１０により割り当てられた無線リソースを用いて、セルラー通信、及び、直接通信を行なう。セルラー通信は、無線基地局１０を介した、無線端末２０間の通信である。直接通信は、無線基地局１０を介さない、無線端末２０間の直接の通信である。直接通信は、Ｄ２Ｄ通信、又は、無線端末間通信と表されてよい。
【００２５】
なお、本例では、無線基地局１０が形成する無線エリアにおいて、当該無線基地局１０により割り当てられた無線リソースを用いて、無線端末２０が無線基地局１０と通信可能であることは、無線端末２０が無線基地局１０に接続されていることの一例である。
【００２６】
図４に示すように、無線基地局１０は、例示的に、アンテナ１１と、メモリ１２と、ＣＰＵ１３と、ＲＦ回路１４と、ＬＳＩ１５と、を備える。ＣＰＵは、Ｃｅｎｔｒａｌ  Ｐｒｏｃｅｓｓｉｎｇ  Ｕｎｉｔの略記である。ＲＦは、Ｒａｄｉｏ  Ｆｒｅｑｕｅｎｃｙの略記である。ＬＳＩは、Ｌａｒｇｅ  Ｓｃａｌｅ  Ｉｎｔｅｇｒａｔｉｏｎの略記である。
【００２７】
メモリ１２は、情報を読み書き可能に記憶する。例えば、メモリ１２は、ＲＡＭ、半導体メモリ、又は、有機メモリであってよい。ＲＡＭは、Ｒａｎｄｏｍ  Ａｃｃｅｓｓ  Ｍｅｍｏｒｙの略記である。メモリ１２は、ＲＯＭを含んでいてもよい。ＲＯＭは、Ｒｅａｄ  Ｏｎｌｙ  Ｍｅｍｏｒｙの略記である。
【００２８】
ＣＰＵ１３は、メモリ１２に記憶されているプログラムを実行することにより、アンテナ１１、メモリ１２、ＲＦ回路１４、及び、ＬＳＩ１５を制御する。
【００２９】
ＲＦ回路１４は、アンテナ１１を介して無線信号の送受信を行なう。本例では、無線信号の送受信は、デジタル信号とアナログ信号との相互の変換と、周波数の変換と、無線信号の増幅と、を含む。
【００３０】
ＬＳＩ１５は、無線通信を行なうためのデジタル信号を処理する。ＬＳＩ１５は、送信される無線信号の基となるデジタル信号をＲＦ回路１４へ出力する。ＬＳＩ１５には、受信された無線信号に基づくデジタル信号がＲＦ回路１４から入力される。なお、ＬＳＩ１５は、プログラム可能な論理回路装置（ＰＬＤ；Ｐｒｏｇｒａｍｍａｂｌｅ  Ｌｏｇｉｃ  Ｄｅｖｉｃｅ）を含んでいてもよい。
【００３１】
図５に示すように、無線端末２０は、例示的に、アンテナ２１と、メモリ２２と、ＣＰＵ２３と、ＲＦ回路２４と、ＬＳＩ２５と、入出力部２６と、を備える。本例では、メモリ２２、ＣＰＵ２３、ＲＦ回路２４、及び、ＬＳＩ２５は、メモリ１２、ＣＰＵ１３、ＲＦ回路１４、及び、ＬＳＩ１５とそれぞれ同様の機能を有する。
【００３２】
入出力部２６には、情報が入力される。例えば、この情報は、無線端末２０のユーザにより入力されてよい。更に、入出力部２６は、情報を出力する。本例では、入出力部２６は、タッチパネル式のディスプレイである。なお、入出力部２６は、ディスプレイに加えて、キー式のボタンを備えていてもよい。また、入出力部２６は、タッチパネル式と異なる方式のディスプレイを備えていてもよい。
【００３３】
（機能）
図６に例示するように、無線基地局１０は、機能的に、受信部１０１と、受信信号復号部１０２と、通信制御部１０３と、送信信号生成部１０４と、送信部１０５と、を備える。
【００３４】
本例では、受信部１０１及び送信部１０５は、ＲＦ回路１４により実現される。また、本例では、アンテナ１１は、受信アンテナ１１ａ及び送信アンテナ１１ｂを含む。なお、アンテナ１１は、共用器を備え、１つのアンテナが共用器によって送信と受信とで共用されてもよい。
【００３５】
本例では、無線基地局１０の機能のうちの、受信部１０１及び送信部１０５と異なる機能部１０２〜１０４は、ＬＳＩ１５により実現される。なお、機能部１０２〜１０４の少なくとも一部は、ＣＰＵ１３及びメモリ１２により実現されてもよい。
【００３６】
受信部１０１は、受信アンテナ１１ａを介して受信した無線信号に対して受信処理を実行し、実行結果を受信信号として受信信号復号部１０２へ出力する。例えば、受信処理は、無線信号の増幅と、無線周波数から基底周波数への変換（換言すると、ダウンコンバージョン）と、アナログ信号からデジタル信号への変換と、を含む。
【００３７】
受信信号復号部１０２は、受信部１０１により出力された受信信号に対して復調・復号処理を実行する。本例では、復調・復号処理は、受信信号を復調する処理と、受信信号に施された誤り訂正符号化に基づく誤り訂正復号処理と、を含む。なお、復調・復号処理は、受信信号に施された誤り検出符号化に基づく誤り検出処理を含んでいてもよい。
【００３８】
受信信号復号部１０２は、実行後の受信信号を通信制御部１０３へ出力する。本例では、受信信号復号部１０２により出力される受信信号は、通信要求信号、及び、測定結果報告信号を含む。
【００３９】
本例では、通信要求信号は、無線端末２０間の通信を要求する。例えば、通信要求信号は、通信を行なう２つの無線端末２０をそれぞれ識別する２つの端末識別子を含む。また、通信要求信号は、無線端末２０がＤ２Ｄ通信を行いたい相手の無線端末の識別子を含む。後述するように、通信要求信号は、無線端末２０により送信される。
【００４０】
本例では、測定結果報告信号は、ある無線端末２０により送信されるとともに他の無線端末２０により受信されたディスカバリ信号の、当該他の無線端末２０により測定された受信電力を示す。例えば、ディスカバリ信号は、Ｄ２Ｄ通信を実行可能な無線端末２０を発見するために用いられる。
【００４１】
なお、無線通信システム１は、測定の対象となる信号として、ディスカバリ信号に代えて、ビーコン信号又は参照信号を用いてもよい。本例では、測定結果報告信号は、ディスカバリ信号の送信元である無線端末２０を識別する端末識別子と、受信電力を測定した無線端末２０を識別する端末識別子と、を含む。
【００４２】
通信制御部１０３は、一例として、Ｄ２Ｄ無線リンク状態評価部１０３１と、Ｄ２Ｄ通信制御部１０３２と、無線リソース割当部１０３３と、を備える。無線リソース割当部１０３３は、Ｄ２Ｄ通信に対する無線リソースの割り当てを制御する制御部の一例である。
【００４３】
Ｄ２Ｄ無線リンク状態評価部１０３１は、通信要求信号を受信した場合、測定結果報告信号に基づいて、Ｄ２Ｄ通信、又は、セルラー通信（無線端末間のデータ通信において無線基地局が常に介在し且つ無線データ信号が常に無線基地局を経由する通信）のいずれかを選択する。
【００４４】
本例では、Ｄ２Ｄ無線リンク状態評価部１０３１は、通信要求信号により識別される２つの無線端末２０間で送受信されたディスカバリ信号に対する受信電力が、所定の第１の閾値電力よりも大きいことを測定結果報告信号が示す場合、Ｄ２Ｄ通信を選択する。一方、Ｄ２Ｄ無線リンク状態評価部１０３１は、当該受信電力が当該第１の閾値電力よりも小さいことを測定結果報告信号が示す場合、セルラー通信を選択する。ただし、Ｄ２Ｄ通信を選択するかどうかを判断する際の基準は、受信電力と異なる情報であってもよい。
【００４５】
無線リソース割当部１０３３は、セルラー通信が選択された場合、セルラー通信用の無線リソースを無線端末２０に割り当てる。本例では、無線リソースは、時間及び周波数により識別される。無線リソース割当部１０３３は、割り当てた無線リソースを識別する割当通知信号を送信信号生成部１０４へ出力する。
【００４６】
無線リソース割当部１０３３は、Ｄ２Ｄ通信が選択された場合、Ｄ２Ｄ通信用の無線リソースを無線端末２０に割り当てる。Ｄ２Ｄ通信に割り当てられる無線リソースは、Ｄ２Ｄ通信リソースと表されてよい。Ｄ２Ｄ通信リソースは、第１の無線リソースの一例である。
【００４７】
無線リソース割当部１０３３は、Ｄ２Ｄ通信リソースを識別する割当通知信号を送信信号生成部１０４へ出力する。本例では、Ｄ２Ｄ通信が選択された場合における割当通知信号は、Ｄ２Ｄ通信リソースを識別する情報として、当該Ｄ２Ｄ通信リソースを識別する周波数帯域を識別する帯域識別子を含む。帯域識別子は、サブバンドＩＤと表されてよい。また、Ｄ２Ｄ通信リソースを識別する情報は、サブバンドを構成する単位無線リソースの識別子、又は、その識別子に関連づけられた情報であってもよい。単位無線リソースは、ＬＴＥにおいてはＲｅｓｏｕｒｃｅ  Ｂｌｏｃｋと呼ばれる。
【００４８】
本例では、Ｄ２Ｄ通信リソースを識別する期間は、予め定められている。例えば、無線基地局１０及び無線端末２０は、Ｄ２Ｄ通信リソースを識別する期間を決定する規則を予め共有する。従って、無線端末２０は、無線基地局１０から帯域識別子を通知されることにより、Ｄ２Ｄ通信リソースを識別可能である。
なお、Ｄ２Ｄ通信リソースを識別する期間が予め定められていない場合、割当通知信号は、当該期間を識別する期間識別子を含んでよい。
【００４９】
更に、無線リソース割当部１０３３は、Ｄ２Ｄ通信が選択された場合、Ｄ２Ｄ通信リソースに関連付けられた無線リソースを、無線端末２０から無線基地局１０への品質通知信号の送信に割り当てる。本例では、品質通知信号は、Ｄ２Ｄ通信の品質が所定の閾値品質よりも低いことを表す。後述するように、品質通知信号は、Ｄ２Ｄ通信の品質に応じて無線端末２０により送信される。品質通知信号は、第１の信号の一例である。品質通知信号の送信に割り当てられる無線リソースは、品質通知リソースと表されてよい。品質通知リソースは、第２の無線リソースの一例である。
【００５０】
本例では、品質通知リソースの周波数帯域は、Ｄ２Ｄ通信リソースの周波数帯域の中にあってもよいし、外にあってもよい。
【００５１】
本例では、品質通知リソースを識別する期間は、予め定められている。例えば、無線基地局１０及び無線端末２０は、品質通知リソースを識別する期間を決定する規則を予め共有する。従って、無線端末２０は、無線基地局１０から帯域識別子を通知されることにより、品質通知リソースを識別可能である。
なお、品質通知リソースを識別する期間が予め定められていない場合、割当通知信号は、当該期間を識別する期間識別子を含んでよい。
【００５２】
加えて、無線リソース割当部１０３３は、Ｄ２Ｄ通信が選択された場合、Ｄ２Ｄ通信リソースに関連付けられた無線リソースを、無線基地局１０から無線端末２０へのＤ２Ｄ通信制御信号の送信に割り当てる。本例では、Ｄ２Ｄ通信制御信号は、Ｄ２Ｄ通信を制御する信号である。Ｄ２Ｄ通信制御信号は、後述するように、無線基地局１０により送信される。Ｄ２Ｄ通信制御信号は、第２の信号の一例である。Ｄ２Ｄ通信制御信号の送信に割り当てられた無線リソースは、Ｄ２Ｄ通信制御リソースと表されてよい。Ｄ２Ｄ通信制御リソースは、第３の無線リソースの一例である。
【００５３】
本例では、Ｄ２Ｄ通信制御リソースの周波数帯域は、Ｄ２Ｄ通信リソースの周波数帯域と異なる。本例では、Ｄ２Ｄ通信制御リソースを識別する周波数帯域と、Ｄ２Ｄ通信リソースを識別する周波数帯域と、の関係は、予め定められている。例えば、無線基地局１０及び無線端末２０は、Ｄ２Ｄ通信リソースの周波数帯域に基づいて、Ｄ２Ｄ通信制御リソースの周波数帯域を決定する規則を予め共有する。
なお、Ｄ２Ｄ通信制御リソースの周波数帯域は、Ｄ２Ｄ通信リソースの周波数帯域の中にあってもよいし、外にあってもよい。
【００５４】
また、本例では、Ｄ２Ｄ通信制御リソースを識別する期間は、予め定められている。例えば、無線基地局１０及び無線端末２０は、Ｄ２Ｄ通信制御リソースを識別する期間を決定する規則を予め共有する。
従って、無線端末２０は、無線基地局１０から帯域識別子を通知されることにより、Ｄ２Ｄ通信制御リソースを識別可能である。
【００５５】
なお、Ｄ２Ｄ通信制御リソースを識別する期間が予め定められていない場合、割当通知信号は、当該期間を識別する期間識別子を含んでよい。また、Ｄ２Ｄ通信制御リソースを識別する周波数帯域と、Ｄ２Ｄ通信リソースを識別する周波数帯域と、の関係が予め定められていない場合、割当通知信号は、Ｄ２Ｄ通信制御リソースが識別される周波数帯域を識別する帯域識別子を含んでよい。
【００５６】
このように、Ｄ２Ｄ通信に対して帯域識別子を決定することは、Ｄ２Ｄ通信リソース、品質通知リソース、及び、Ｄ２Ｄ通信制御リソースの割り当てを行なうことの一例である。
【００５７】
更に、本例では、Ｄ２Ｄ通信が選択された場合における割当通知信号は、Ｄ２Ｄ通信を示す情報を含む。Ｄ２Ｄ通信を示す情報は、例えば、Ｄ２Ｄ−ＲＮＴＩであってよい。Ｄ２Ｄ−ＲＮＴＩは、Ｄｅｖｉｃｅ−ｔｏ−Ｄｅｖｉｃｅ  Ｒａｄｉｏ  Ｎｅｔｗｏｒｋ  Ｔｅｍｐｏｒａｒｙ  Ｉｄｅｎｔｉｆｉｅｒの略記である。割り当て通知信号に含まれる所定の符号列（例えば、ＣＲＣ）は、Ｄ２Ｄ−ＲＮＴＩの符号列によりスクランブル処理が施されてもよい。ＣＲＣは、Ｃｙｃｌｉｃ  Ｒｅｄｕｎｄａｎｃｙ  Ｃｈｅｃｋの略記である。
【００５８】
本例では、無線リソース割当部１０３３は、通信ペアが異なる、複数のＤ２Ｄ通信に対して、当該複数のＤ２Ｄ通信に共通する帯域識別子を決定してよい。本例では、通信ペアは、Ｄ２Ｄ通信を行なう一対の無線端末２０である。なお、Ｄ２Ｄ通信は、３つ以上の無線端末２０により行なわれてもよい。例えば、ある無線端末２０が送信するＤ２Ｄ信号を、他の複数の無線端末が同時に受信してもよい。
【００５９】
例えば、無線リソース割当部１０３３は、図７に例示するように、第１〜第３のＤ２Ｄ通信に対して、第１〜第３の周波数帯域ＳＢ＃１〜ＳＢ＃３を識別する帯域識別子をそれぞれ決定する。本例では、無線リソース割当部１０３３は、３つの周波数帯域をＤ２Ｄ通信に割り当てるが、２つ以下又は４つ以上の周波数帯域をＤ２Ｄ通信に割り当ててよい。
【００６０】
本例では、第１〜第３のＤ２Ｄ通信に対するＤ２Ｄ通信リソースＲ＃１１、Ｒ＃２１及びＲ＃３１は、第１〜第３の周波数帯域ＳＢ＃１〜ＳＢ＃３によりそれぞれ識別される。
また、本例では、第１〜第３のＤ２Ｄ通信に対する品質通知リソースＲ＃１２、Ｒ＃２２及びＲ＃３２は、第１〜第３の周波数帯域ＳＢ＃１〜ＳＢ＃３によりそれぞれ識別される。なお、第１〜第３のＤ２Ｄ通信に対する品質通知リソースＲ＃１２、Ｒ＃２２及びＲ＃３２は、第１〜第３の周波数帯域ＳＢ＃１〜ＳＢ＃３と異なる周波数帯域によりそれぞれ識別されてもよい。
【００６１】
本例では、Ｄ２Ｄ通信リソースＲ＃１１、Ｒ＃２１及びＲ＃３１のそれぞれは、所定の周期Ｔ１が経過する毎に到来する期間により識別される。換言すると、Ｄ２Ｄ通信リソースＲ＃１１、Ｒ＃２１及びＲ＃３１のそれぞれは、時間軸に沿って周期的に割り当てられる。換言すると、Ｄ２Ｄ通信リソースＲ＃１１、Ｒ＃２１及びＲ＃３１のそれぞれは、時間軸に沿って周期的に位置する。また、本例では、品質通知リソースＲ＃１２、Ｒ＃２２及びＲ＃３２のそれぞれは、周期Ｔ１が経過する毎に到来する期間により識別される。換言すると、品質通知リソースＲ＃１２、Ｒ＃２２及びＲ＃３２のそれぞれは、時間軸に沿って周期的に割り当てられる。換言すると、品質通知リソースＲ＃１２、Ｒ＃２２及びＲ＃３２のそれぞれは、時間軸に沿って周期的に位置する。
【００６２】
本例では、品質通知リソースＲ＃１２、Ｒ＃２２及びＲ＃３２は、Ｄ２Ｄ通信リソースＲ＃１１、Ｒ＃２１及びＲ＃３１とそれぞれ共通する周波数帯域により識別される。更に、品質通知リソースＲ＃１２、Ｒ＃２２及びＲ＃３２は、時間軸に沿って、Ｄ２Ｄ通信リソースＲ＃１１、Ｒ＃２１及びＲ＃３１にそれぞれ後続する。
【００６３】
本例では、図８に示すように、第１〜第３のＤ２Ｄ通信に対するＤ２Ｄ通信制御リソースＲ＃４１、Ｒ＃５１及びＲ＃６１は、第４〜第６の周波数帯域ＳＢ＃４〜ＳＢ＃６によりそれぞれ識別される。
【００６４】
本例では、Ｄ２Ｄ通信制御リソースＲ＃４１、Ｒ＃５１及びＲ＃６１のそれぞれは、所定の周期Ｔ２が経過する毎に到来する期間により識別される。換言すると、Ｄ２Ｄ通信制御リソースＲ＃４１、Ｒ＃５１及びＲ＃６１のそれぞれは、時間軸に沿って周期的に割り当てられる。換言すると、Ｄ２Ｄ通信制御リソースＲ＃４１、Ｒ＃５１及びＲ＃６１のそれぞれは、時間軸に沿って周期的に位置する。周期Ｔ２は、周期Ｔ１と同じであってよい。なお、周期Ｔ２は、周期Ｔ１と異なっていてもよい。
【００６５】
本例では、Ｄ２Ｄ通信リソースを識別する周波数帯域とＤ２Ｄ通信制御リソースを識別する周波数帯域との関係は、Ｄ２Ｄ通信リソースを識別する周波数帯域ＳＢ＃１とＤ２Ｄ通信制御リソース識別する周波数帯域ＳＢ＃４とを関連付けるように定められる。更に、本例では、上記関係は、Ｄ２Ｄ通信リソースを識別する周波数帯域ＳＢ＃２と、Ｄ２Ｄ通信制御リソース識別する周波数帯域ＳＢ＃５と、を関連付けるように定められる。加えて、本例では、上記関係は、Ｄ２Ｄ通信リソースを識別する周波数帯域ＳＢ＃３と、Ｄ２Ｄ通信制御リソース識別する周波数帯域ＳＢ＃６と、を関連付けるように定められる。
【００６６】
Ｄ２Ｄ通信制御部１０３２は、受信部１０１により受信された信号の、品質通知リソースに対する受信電力を取得する。後述するように、品質通知リソースに対する受信電力は、品質通知信号を送信する無線端末２０の数が多くなるほど大きくなる。Ｄ２Ｄ通信制御部１０３２は、取得した受信電力が所定の第２の閾値電力よりも大きい場合、Ｄ２Ｄ通信を抑制するＤ２Ｄ通信制御信号を送信信号生成部１０４へ出力する。Ｄ２Ｄ通信制御部１０３２は、取得した受信電力が上記第２の閾値電力よりも小さい場合、Ｄ２Ｄ通信を抑制するＤ２Ｄ通信制御信号を出力しない。
【００６７】
送信信号生成部１０４は、通信制御部１０３により出力された制御信号に対して符号化・変調処理を実行する。例えば、制御信号は、割当通知信号及びＤ２Ｄ通信制御信号を含む。本例では、符号化・変調処理は、制御信号に対して誤り訂正符号化を施す処理と、制御信号を変調する処理と、を含む。なお、符号化・変調処理は、制御信号に対して誤り検出符号化を施す処理を含んでいてもよい。
【００６８】
本例では、送信信号生成部１０４は、割当通知信号が入力された場合、割当通知信号を送信部１０５へ出力する。また、本例では、送信信号生成部１０４は、Ｄ２Ｄ通信制御信号が入力された場合、Ｄ２Ｄ通信制御信号を送信部１０５へ出力する。
【００６９】
この場合、Ｄ２Ｄ通信制御信号は、Ｄ２Ｄ通信制御リソースを用いてＤ２Ｄ通信制御信号が送信されるように出力される。上述したように、Ｄ２Ｄ通信制御信号の送信に用いられるＤ２Ｄ通信制御リソースは、Ｄ２Ｄ通信制御信号による制御の対象となるＤ２Ｄ通信に割り当てられたＤ２Ｄ通信リソースと関連付けられた無線リソースである。
【００７０】
送信部１０５は、送信信号生成部１０４により出力された信号に対して送信処理を実行し、実行結果である無線信号を送信アンテナ１１ｂを介して送信する。例えば、送信処理は、デジタル信号からアナログ信号への変換と、基底周波数から無線周波数への変換（換言すると、アップコンバージョン）と、無線信号の増幅と、を含む。
【００７１】
図９に例示するように、無線端末２０は、機能的に、受信部２０１と、受信信号復号部２０２と、通信制御部２０３と、送信信号生成部２０４と、送信部２０５と、を備える。
【００７２】
本例では、受信部２０１及び送信部２０５は、ＲＦ回路２４により実現される。また、本例では、アンテナ２１は、受信アンテナ２１ａ及び送信アンテナ２１ｂを含む。なお、アンテナ２１は、共用器を備え、１つのアンテナが共用器によって送信と受信とで共用されてもよい。
【００７３】
本例では、無線端末２０の機能のうちの、受信部２０１及び送信部２０５と異なる機能部２０２〜２０４は、ＬＳＩ２５により実現される。なお、機能部２０２〜２０４の少なくとも一部は、ＣＰＵ２３及びメモリ２２により実現されてもよい。
【００７４】
受信部２０１は、受信アンテナ２１ａを介して受信した無線信号に対して受信処理を実行し、実行結果を受信信号として受信信号復号部２０２へ出力する。
【００７５】
受信信号復号部２０２は、受信部２０１により出力された受信信号に対して復調・復号処理を実行する。受信信号復号部２０２は、実行後の受信信号を通信制御部２０３へ出力する。本例では、受信信号復号部２０２により出力される受信信号は、割当通知信号、及び、Ｄ２Ｄ通信制御信号を含む。
【００７６】
通信制御部２０３は、Ｄ２Ｄ通信を抑制するＤ２Ｄ通信制御信号が受信された場合、Ｄ２Ｄ通信を抑制する制御を実行する。Ｄ２Ｄ通信を抑制する制御は、抑制制御と表されてよい。抑制制御は、送信電力を所定の変化量だけ減少させる制御を含んでよい。従って、Ｄ２Ｄ通信制御信号は、無線端末２０の送信電力を調整することに関する情報を含む信号の一例である。
【００７７】
抑制制御は、Ｄ２Ｄ通信に用いる無線リソースを、Ｄ２Ｄ通信リソースの一部に制限する制御を含んでよい。抑制制御は、Ｄ２Ｄ通信に用いる無線リソースを、Ｄ２Ｄ通信リソースを識別する周波数帯域の一部に制限する制御を含んでよい。
【００７８】
抑制制御は、Ｄ２Ｄ通信に用いる無線リソースを、Ｄ２Ｄ通信リソースを識別する期間の一部に制限する制御を含んでよい。抑制制御は、所定の周期が経過する毎にＤ２Ｄ通信が行なわれている場合、当該周期を増加する制御を含んでよい。抑制制御は、Ｄ２Ｄ通信の通信タイミングをＤ２Ｄ通信間で異ならせる制御を含んでよい。通信タイミングをＤ２Ｄ通信間で異ならせる制御は、通信タイミングをランダムに決定される時間だけ変更する制御であってよい。例えば、変更される時間は、擬似乱数を用いて決定されてよい。また、変更される時間は、バックオフ時間と表されてよい。
【００７９】
なお、Ｄ２Ｄ通信を抑制するＤ２Ｄ通信制御信号は、抑制制御の内容を示す情報を含んでいてもよい。この場合、通信制御部２０３は、Ｄ２Ｄ通信制御信号に含まれる情報に応じて抑制制御を実行してよい。例えば、抑制制御の内容は、送信電力を調整すること、及び、送信電力の調整量の一方又は両方を含んでよい。
【００８０】
Ｄ２Ｄ通信制御信号が抑制制御の内容を示す情報を含まない場合、無線端末２０は、予め定められた内容の抑制制御を行なう。抑制制御は、抑制動作と表されてもよい。予め定められた抑制動作の内容は、無線端末２０の通信方法がセルラー通信からＤ２Ｄ通信に移行する過程において、無線基地局１０が無線端末２０に通知してもよい。
また、Ｄ２Ｄ通信を抑制するＤ２Ｄ通信制御信号は、抑制制御を実行する時間を示す情報を含んでいてもよい。この場合、通信制御部２０３は、Ｄ２Ｄ通信制御信号に含まれる情報に応じて抑制制御を終了してよい。
また、無線基地局１０は、抑制制御の終了を指示する制御信号を無線端末２０へ送信してもよい。
【００８１】
更に、通信制御部２０３は、一例として、Ｄ２Ｄ通信品質評価部２０３１と、無線測定部２０３２と、を備える。Ｄ２Ｄ通信品質評価部２０３１は、Ｄ２Ｄ通信の品質を検出する検出部の一例である。
【００８２】
Ｄ２Ｄ通信品質評価部２０３１は、Ｄ２Ｄ通信の品質を検出し、検出した品質が所定の閾値品質よりも低いか否かを判定する。
【００８３】
例えば、Ｄ２Ｄ通信の品質は、ＭＣＳが、伝送レートが最低である値に設定されている場合において、Ｄ２Ｄ通信にて行なわれた再送の回数により表される。ＭＣＳは、Ｍｏｄｕｌａｔｉｏｎ  ａｎｄ  Ｃｏｄｉｎｇ  Ｓｃｈｅｍｅの略記であり、変調方式及び符号化率の組み合わせを表す。例えば、再送の回数は、特定のデータに対する再送の回数であってよい。また、再送の回数は、任意のデータに対する再送の回数であってもよい。ＭＣＳが、伝送レートが最低である値に設定されている場合において、Ｄ２Ｄ通信にて行なわれた再送の回数が所定の閾値回数を超えることは、品質が閾値品質よりも低いことの一例である。
なお、Ｄ２Ｄ通信の品質は、ＭＣＳの値に基づかずに、Ｄ２Ｄ通信にて行なわれた再送の回数により表されてよい。
【００８４】
また、Ｄ２Ｄ通信の品質は、ビット誤り率（Ｂｉｔ  Ｅｒｒｏｒ  Ｒａｔｅ；ＢＥＲ）により表されてよい。ビット誤り率が所定の閾値よりも大きいことは、品質が閾値品質よりも低いことの一例である。
【００８５】
また、Ｄ２Ｄ通信の品質は、Ｄ２Ｄ通信により送信される無線信号の受信ＳＩＮＲにより表されてよい。ＳＩＮＲは、Ｓｉｇｎａｌ−ｔｏ−Ｉｎｔｅｒｆｅｒｅｎｃｅ  Ｐｌｕｓ  Ｎｏｉｓｅ  Ｐｏｗｅｒ  Ｒａｔｉｏの略記である。受信ＳＩＮＲが所定の閾値よりも小さいことは、品質が閾値品質よりも低いことの一例である。
【００８６】
また、Ｄ２Ｄ通信の品質は、Ｄ２Ｄ通信により送信される無線信号の受信ＳＩＲにより表されてよい。ＳＩＲは、Ｓｉｇｎａｌ  ｔｏ  Ｉｎｔｅｒｆｅｒｅｎｃｅ  Ｒａｔｉｏの略記である。受信ＳＩＲが所定の閾値よりも小さいことは、品質が閾値品質よりも低いことの一例である。
【００８７】
また、Ｄ２Ｄ通信の品質は、Ｄ２Ｄ通信により送信される無線信号の受信信号に対する測定の結果から得られるＣＱＩ（Ｃｈａｎｎｅｌ  Ｑｕａｌｉｔｙ  Ｉｎｄｉｃａｔｏｒ）により表されてもよい。例えば、ＬＴＥにおいては、ある無線端末がある期間における受信基準信号に対する無線測定の結果から求めたＣＱＩは、その測定の期間における無線品質環境下において既定の誤り率（Ｅｒｒｏｒ  Ｒａｔｅ）が保証されることが期待されるＭＣＳの値を示す。
【００８８】
無線測定部２０３２は、他の無線端末２０により送信された、ディスカバリ信号又はパイロット信号等の基準信号の受信電力を測定する。ディスカバリ信号の送信に割り当てられる無線リソースは、予め定められてよい。
【００８９】
送信信号生成部２０４は、一例として、測定結果報告信号生成部２０４１と、通信要求信号生成部２０４２と、Ｄ２Ｄ通信信号生成部２０４３と、品質通知信号生成部２０４４と、を備える。
【００９０】
測定結果報告信号生成部２０４１は、無線測定部２０３２により測定された受信電力を示す測定結果報告信号を生成する。本例では、測定結果報告信号は、測定の対象である、ディスカバリ信号又はパイロット信号等の基準信号の送信元である無線端末２０を識別する端末識別子と、自端末２０を識別する端末識別子と、を含む。
【００９１】
通信要求信号生成部２０４２は、通信要求信号を生成する。例えば、通信要求信号生成部２０４２は、情報の入力に応じて通信要求信号を生成してよい。例えば、情報は、無線端末２０のユーザによって入力されてよい。本例では、通信要求信号は、通信先又は通信相手となる他の無線端末２０を識別する端末識別子と、自端末２０を識別する端末識別子と、を含む。
【００９２】
Ｄ２Ｄ通信信号生成部２０４３は、Ｄ２Ｄ通信信号を生成する。Ｄ２Ｄ通信信号は、Ｄ２Ｄ通信により送受信される信号である。本例では、Ｄ２Ｄ通信信号は、ユーザデータを表すデータ信号と、Ｄ２Ｄ通信を制御する制御信号と、を含む。
【００９３】
品質通知信号生成部２０４４は、Ｄ２Ｄ通信品質評価部２０３１により、Ｄ２Ｄ通信の品質が上記閾値品質よりも低いと判定された場合、品質通知信号を生成する。一方、品質通知信号生成部２０４４は、Ｄ２Ｄ通信品質評価部２０３１により、Ｄ２Ｄ通信の品質が上記閾値品質よりも高いと判定された場合、品質通知信号を生成しない。品質通知信号生成部２０４４は、Ｄ２Ｄ通信の品質が上記閾値品質と等しいと判定された場合、品質通知信号を生成してもよいし、品質通知信号を生成しなくてもよい。
【００９４】
送信信号生成部２０４は、生成された信号に対して符号化・変調処理を実行する。例えば、生成された信号は、Ｄ２Ｄ通信信号、通信要求信号、測定結果報告信号、及び、品質通知信号を含む。本例では、送信信号生成部２０４は、信号が生成された場合、生成された信号を送信部２０５へ出力する。
【００９５】
本例では、送信信号生成部２０４は、品質通知信号に対してオンオフ変調（ＯＯＫ；Ｏｎ  Ｏｆｆ  Ｋｅｙｉｎｇ）を行なう。従って、送信信号生成部２０４は、品質通知信号が生成された場合、オンオフ変調においてオンに対応する信号を品質通知信号として送信部２０５へ出力する。オンオフ変調においてオンに対応する信号は、搬送波が存在する信号であってよい。品質通知用の信号として、自己相関特性及び相互相関特性の少なくとも一方が良好な符号系列が使用されてよい。自己相関特性及び相互相関特性の少なくとも一方が良好な符号系列は、例えば、ＬＴＥの無線信号の一部で使用されているＺａｄｏｆｆ−Ｃｈｕシーケンスである。
【００９６】
品質通知信号は、送信部２０５により品質通知リソースを用いて送信されるように、送信信号生成部２０４から送信部２０５へ出力される。上述したように、品質通知信号の送信に用いられる品質通知リソースは、品質通知信号による制御の対象となるＤ２Ｄ通信に割り当てられたＤ２Ｄ通信リソースと関連付けられた無線リソースである。
【００９７】
一方、送信信号生成部２０４は、品質通知信号が生成されなかった場合、オンオフ変調においてオフに対応する信号が、品質通知リソースを用いて送信されるように当該信号を送信部２０５へ出力する。オンオフ変調においてオフに対応する信号は、搬送波が存在しない信号であってよい。例えば、オンオフ変調においてオフに対応する信号は、振幅が零である信号である。
【００９８】
従って、Ｄ２Ｄ通信の品質が閾値品質よりも低い無線端末２０の数が増加するほど、品質通知リソースを用いて品質通知信号を送信する無線端末２０の数は増加する。更に、品質通知信号を送信する無線端末２０の数が増加するほど、品質通知リソースに対する無線基地局１０における受信電力は増加する。
【００９９】
Ｄ２Ｄ通信信号は、送信部２０５によりＤ２Ｄ通信リソースを用いて送信されるように、送信信号生成部２０４から送信部２０５へ出力される。測定結果報告信号の送信に割り当てられる無線リソースは、予め定められてよい。通信要求信号の送信に割り当てられる無線リソースは、予め定められてよい。
【０１００】
送信部２０５は、送信信号生成部２０４により出力された信号に対して送信処理を実行し、実行結果である無線信号を送信アンテナ２１ｂを介して送信する。
【０１０１】
（動作）
先ず、無線基地局１０及び無線端末２０のそれぞれが実行する処理について、図１０乃至及び図１５を参照しながら説明する。
無線端末２０は、図１０にフローチャートにより例示する処理を実行する。本例では、無線端末２０は、他の無線端末２０により送信されたディスカバリ信号を受信したか否かを判定する（図１０のステップＳ１０１）。
【０１０２】
無線端末２０は、ディスカバリ信号を受信した場合、「Ｙｅｓ」と判定し、ディスカバリ信号の受信電力を測定する。そして、無線端末２０は、測定された受信電力を示す測定結果報告信号を送信する（図１０のステップＳ１０２）。次いで、無線端末２０は、図１０のステップＳ１０１へ戻り、ステップＳ１０１及びＳ１０２を繰り返し実行する。
一方、無線端末２０は、図１０のステップＳ１０１にてディスカバリ信号を受信しなかった場合、「Ｎｏ」と判定し、ディスカバリ信号を受信するまで待機する。
【０１０３】
更に、無線端末２０は、図１１にフローチャートにより例示する処理を実行する。本例では、無線端末２０は、通信要求信号を無線基地局１０へ送信する（図１１のステップＳ２０１）。次いで、無線端末２０は、無線基地局１０から割当通知信号を受信するまで待機する（図１１のステップＳ２０２の「Ｎｏ」ルート）。
【０１０４】
一方、無線基地局１０は、図１２にフローチャートにより例示する処理を実行する。本例では、無線基地局１０は、無線端末２０から通信要求信号を受信するまで待機する（図１２のステップＳ３０１の「Ｎｏ」ルート）。
【０１０５】
無線基地局１０は、無線端末２０から通信要求信号を受信した場合、「Ｙｅｓ」と判定し、受信した測定結果報告信号に基づいて、Ｄ２Ｄ通信、又は、セルラー通信のいずれかを選択する。次いで、無線基地局１０は、Ｄ２Ｄ通信が選択されたか否かを判定する（図１２のステップＳ３０２）。
【０１０６】
先ず、通信要求信号により識別される２つの無線端末２０間で送受信されたディスカバリ信号に対する受信電力が第１の閾値電力よりも大きいことを測定結果報告信号が示す場合を想定する。この場合、無線基地局１０は、Ｄ２Ｄ通信を選択する。従って、無線基地局１０は、「Ｙｅｓ」と判定し、Ｄ２Ｄ通信に無線リソースを割り当てる（図１２のステップＳ３０３）。本例では、Ｄ２Ｄ通信に対する無線リソースの割り当ては、Ｄ２Ｄ通信リソースを識別する周波数帯域を決定することにより行なわれる。
【０１０７】
そして、無線基地局１０は、Ｄ２Ｄ通信リソースを識別する割当通知信号を、通信要求信号を送信してきた無線端末２０へ送信する（図１２のステップＳ３０４）。なお、無線基地局１０は、通信要求信号に含まれる端末識別子により識別される無線端末２０のそれぞれへ、割当通知信号を送信してもよい。
その後、無線基地局１０は、ステップＳ３０１へ戻り、ステップＳ３０１から、後述するステップＳ３０６までの処理を繰り返し実行する。
【０１０８】
次に、通信要求信号により識別される２つの無線端末２０間で送受信されたディスカバリ信号に対する受信電力が第１の閾値電力以下であることを測定結果報告信号が示す場合を想定する。この場合、無線基地局１０は、セルラー通信を選択する。
【０１０９】
従って、無線基地局１０は、図１２のステップＳ３０２にて「Ｎｏ」と判定し、セルラー通信に無線リソースを割り当てる（図１２のステップＳ３０５）。そして、無線基地局１０は、割り当てた無線リソースを識別する割当通知信号を、通信要求信号を送信してきた無線端末２０へ送信する（図１２のステップＳ３０６）。
その後、無線基地局１０は、ステップＳ３０１へ戻り、ステップＳ３０１〜Ｓ３０６までの処理を繰り返し実行する。
【０１１０】
一方、無線端末２０は、無線基地局１０から割当通知信号を受信すると、図１１のステップＳ２０２にて「Ｙｅｓ」と判定し、割当通知信号がＤ２Ｄ通信を示すか否かを判定する（図１１のステップＳ２０３）。
【０１１１】
割当通知信号がＤ２Ｄ通信を示す場合、無線端末２０は、「Ｙｅｓ」と判定し、Ｄ２Ｄ通信リソースを用いたＤ２Ｄ通信を実行する（図１１のステップＳ２０４）。
一方、無線端末２０は、割当通知信号がＤ２Ｄ通信を示さない場合、図１１のステップＳ２０３にて「Ｎｏ」と判定し、セルラー通信を実行する（図１１のステップＳ２０５）。
その後、無線端末２０は、図１１の処理を終了する。
【０１１２】
加えて、無線端末２０は、Ｄ２Ｄ通信を実行している間、図１３にフローチャートにより例示する処理を実行する。本例では、無線端末２０は、所定の周期が経過する毎に、図１３の処理を繰り返し実行する。
【０１１３】
本例では、無線端末２０は、Ｄ２Ｄ通信の品質を検出し、検出した品質が閾値品質よりも低いか否かを判定する（図１３のステップＳ４０１）。
【０１１４】
Ｄ２Ｄ通信の品質が閾値品質よりも低い場合、無線端末２０は、「Ｙｅｓ」と判定し、Ｄ２Ｄ通信リソースに関連付けられた品質通知リソースを用いて、品質通知信号を無線基地局１０へ送信する（図１３のステップＳ４０２）。そして、無線端末２０は、図１３の処理を終了する。
一方、Ｄ２Ｄ通信の品質が閾値品質以上である場合、無線端末２０は、図１３のステップＳ４０１にて「Ｎｏ」と判定し、品質通知信号を送信せずに図１３の処理を終了する。
【０１１５】
更に、無線基地局１０は、自局１０が割り当てを行なったＤ２Ｄ通信リソースのそれぞれに対して、図１４にフローチャートにより例示する処理を実行する。本例では、無線基地局１０は、Ｄ２Ｄ通信リソースに関連付けられた品質通知リソースに対する受信電力が第２の閾値電力よりも大きいか否かを判定する（図１４のステップＳ５０１）。
【０１１６】
品質通知リソースに対する受信電力が第２の閾値電力よりも大きい場合、無線基地局１０は、「Ｙｅｓ」と判定する。そして、無線基地局１０は、Ｄ２Ｄ通信を抑制するＤ２Ｄ通信制御信号を、Ｄ２Ｄ通信リソースに関連付けられたＤ２Ｄ通信制御リソースを用いて送信する（図１４のステップＳ５０２）。その後、無線基地局１０は、図１４の処理を終了する。
【０１１７】
一方、品質通知リソースに対する受信電力が第２の閾値電力以下である場合、無線基地局１０は、図１４のステップＳ５０１にて「Ｎｏ」と判定し、Ｄ２Ｄ通信制御信号を送信せずに図１４の処理を終了する。
【０１１８】
加えて、無線端末２０は、Ｄ２Ｄ通信を実行している間、図１５にフローチャートにより例示する処理を実行する。本例では、無線端末２０は、Ｄ２Ｄ通信を抑制するＤ２Ｄ通信制御信号を、Ｄ２Ｄ通信制御リソースを用いて受信するまで待機する（図１５のステップＳ６０１の「Ｎｏ」ルート）。
【０１１９】
Ｄ２Ｄ通信を抑制するＤ２Ｄ通信制御信号を受信した場合、無線端末２０は、「Ｙｅｓ」と判定し、抑制制御を実行する（図１５のステップＳ６０２）そして、無線端末２０は、図１５の処理を終了する。
【０１２０】
次に、無線通信システム１の動作の一例について図１６を参照しながら説明する。
本例では、無線基地局１０−１が、第１〜第３のＤ２Ｄ通信に対して、３つのＤ２Ｄ通信に共通する無線リソースを割り当てた場合を想定する。第１〜第３のＤ２Ｄ通信は、無線端末２０−３及び２０−４間、無線端末２０−５及び２０−６間、及び、無線端末２０−７及び２０−８間でそれぞれ実行される。
【０１２１】
従って、本例では、無線端末２０−３及び２０−４は、Ｄ２Ｄ通信リソースを用いた第１のＤ２Ｄ通信を開始する（図１６のステップＳ７０１）。同様に、無線端末２０−５及び２０−６は、無線端末２０−３及び２０−４が用いるＤ２Ｄ通信リソースと同じＤ２Ｄ通信リソースを用いた第２のＤ２Ｄ通信を開始する（図１６のステップＳ７０２）。同様に、無線端末２０−７及び２０−８は、無線端末２０−３及び２０−４が用いるＤ２Ｄ通信リソースと同じＤ２Ｄ通信リソースを用いた第３のＤ２Ｄ通信を開始する（図１６のステップＳ７０３）。
【０１２２】
その後、第１のＤ２Ｄ通信の品質が閾値品質よりも低くなった場合を想定する。この場合、無線端末２０−３及び２０−４のそれぞれは、Ｄ２Ｄ通信リソースに関連付けられた品質通知リソースを用いて、品質通知信号を無線基地局１０−１へ送信する（図１６のステップＳ７０４及び７０５）。
【０１２３】
この時点では、無線基地局１０−１における、品質通知リソースに対する受信電力が第２の閾値電力以下である場合を想定する。従って、この時点では、無線基地局１０−１は、Ｄ２Ｄ通信を抑制するＤ２Ｄ通信制御信号を送信しない。
【０１２４】
その後、第１〜第３のＤ２Ｄ通信のすべての品質が閾値品質よりも低くなった場合を想定する。この場合、無線端末２０−７及び２０−８のそれぞれは、Ｄ２Ｄ通信リソースに関連付けられた品質通知リソースを用いて、品質通知信号を無線基地局１０−１へ送信する（図１６のステップＳ７０６及び７０７）。同様に、無線端末２０−５及び２０−６のそれぞれは、無線端末２０−７及び２０−８が用いる品質通知リソースと同じ品質通知リソースを用いて、品質通知信号を無線基地局１０−１へ送信する（図１６のステップＳ７０８及び７０９）。同様に、無線端末２０−３及び２０−４のそれぞれは、無線端末２０−７及び２０−８が用いる品質通知リソースと同じ品質通知リソースを用いて、品質通知信号を無線基地局１０−１へ送信する（図１６のステップＳ７１０及び７１１）。
【０１２５】
この時点にて、無線基地局１０−１における、品質通知リソースに対する受信電力が第２の閾値電力よりも大きくなった場合を想定する。従って、この時点では、無線基地局１０−１は、Ｄ２Ｄ通信リソースに関連付けられたＤ２Ｄ通信制御リソースを用いて、Ｄ２Ｄ通信を抑制するＤ２Ｄ通信制御信号を送信する（図１６のステップＳ７１２）。
【０１２６】
これにより、無線端末２０−３〜２０−８のそれぞれは、Ｄ２Ｄ通信制御リソースを用いて、Ｄ２Ｄ通信を抑制するＤ２Ｄ通信制御信号を受信する。そして、無線端末２０−３〜２０−８のそれぞれは、抑制制御を行なう。その結果、第１〜第３のＤ２Ｄ通信間で無線信号が相互に干渉することを抑制できる。従って、Ｄ２Ｄ通信の品質を高めることができる。
【０１２７】
以上、説明したように、第１実施形態に係る無線通信システム１は、Ｄ２Ｄ通信リソースを用いたＤ２Ｄ通信の品質に応じて、無線端末２０が、Ｄ２Ｄ通信リソースに関連付けられた品質通知リソースを用いて、品質通知信号を無線基地局１０に送信する。
【０１２８】
これによれば、無線端末２０毎に個別の無線リソースを割り当てる場合よりも、Ｄ２Ｄ通信の品質に応じて送信される品質通知信号の送信に割り当てられる無線リソースを低減できる。従って、Ｄ２Ｄ通信を行なう場合において無線リソースを有効に利用できる。
【０１２９】
更に、第１実施形態に係る無線通信システム１において、無線基地局１０は、Ｄ２Ｄ通信リソースと関連付けられたＤ２Ｄ通信制御リソースを用いて、Ｄ２Ｄ通信を制御するＤ２Ｄ通信制御信号を無線端末２０へ送信する。
【０１３０】
これによれば、無線端末２０毎に個別の無線リソースを割り当てる場合よりも、Ｄ２Ｄ通信を制御するＤ２Ｄ通信制御信号の送信に割り当てられる無線リソースを低減できる。従って、Ｄ２Ｄ通信を行なう場合において無線リソースを有効に利用できる。
【０１３１】
加えて、第１実施形態に係る無線通信システム１において、無線端末２０は、Ｄ２Ｄ通信の品質が閾値品質よりも低い場合、オンオフ変調においてオンに対応する信号を、品質通知信号として、品質通知リソースを用いて送信する。更に、無線基地局１０は、品質通知リソースに対する受信電力が第２の閾値電力よりも大きい場合、Ｄ２Ｄ通信を抑制するＤ２Ｄ通信制御信号を、Ｄ２Ｄ通信制御リソースを用いて送信する。
【０１３２】
これによれば、品質が閾値品質よりも低いＤ２Ｄ通信の数を、無線基地局１０における、品質通知リソースに対する受信電力に適切に反映することができる。この結果、無線基地局１０は、品質が閾値品質よりも低いＤ２Ｄ通信の数に応じて適切にＤ２Ｄ通信を制御できる。
【０１３３】
更に、第１実施形態に係る無線通信システム１において、品質通知リソースは、時間軸に沿って周期的に割り当てられる。
【０１３４】
これによれば、無線基地局１０は、Ｄ２Ｄ通信の品質の、時間の経過に伴う変化を迅速に認識することができる。この結果、例えば、無線基地局１０は、Ｄ２Ｄ通信の品質に応じて迅速にＤ２Ｄ通信を制御することができる。
【０１３５】
上述したように、第１実施形態においては、無線基地局１０は、品質通知リソースに対する受信電力が第２の閾値電力よりも大きい場合に、Ｄ２Ｄ通信を抑制するＤ２Ｄ通信制御信号を送信する。なお、無線基地局１０は、品質通知リソースに対する受信電力が第２の閾値電力よりも大きい状態が継続した時間が、所定の閾値時間よりも長い場合に、Ｄ２Ｄ通信を抑制するＤ２Ｄ通信制御信号を送信してもよい。
【０１３６】
例えば、図１７に示すように、時点ｔ１にて、無線基地局１０における、品質通知リソースに対する受信電力が第２の閾値電力αよりも大きくなった場合を想定する。更に、時点ｔ１から、閾値時間Ｔ３だけ後の時点ｔ２まで、受信電力が第２の閾値電力αよりも大きい状態が継続した場合を想定する。この場合、無線基地局１０は、時点ｔ２よりも前の期間においては、Ｄ２Ｄ通信を抑制するＤ２Ｄ通信制御信号を送信せず、時点ｔ２にて、Ｄ２Ｄ通信を抑制するＤ２Ｄ通信制御信号を送信する。
これによれば、無線基地局１０における、品質通知リソースに対する受信電力が変動する場合であっても、Ｄ２Ｄ通信の品質を高い精度にて認識することができる。
【０１３７】
＜第２実施形態＞
次に、本発明の第２実施形態に係る無線通信システムについて説明する。第２実施形態に係る無線通信システムは、第１実施形態に係る無線通信システムに対して、複数のＤ２Ｄ通信リソースに共通する品質通知リソースを品質通知信号の送信に割り当てる点において相違している。以下、かかる相違点を中心として説明する。なお、第２実施形態の説明において、第１実施形態にて使用した符号と同じ符号を付したものは、同一又はほぼ同様のものである。
【０１３８】
第２実施形態に係る無線リソース割当部１０３３は、図１８に例示するように、第１〜第ＫのＤ２Ｄ通信に対して、第１〜第Ｋの周波数帯域ＳＢ＃１〜ＳＢ＃Ｋを識別する帯域識別子をそれぞれ決定する。本例では、Ｋは、２以上の整数を表す。
【０１３９】
本例では、無線リソース割当部１０３３は、通信ペアが異なる、複数のＤ２Ｄ通信に対して、当該複数のＤ２Ｄ通信に共通する帯域識別子を決定してよい。例えば、無線リソース割当部１０３３は、第１のＤ２Ｄ通信、及び、第ＬのＤ２Ｄ通信のそれぞれに対して、第１の周波数帯域ＳＢ＃１を識別する帯域識別子を決定してよい。Ｌは、Ｋよりも大きい整数を表す。
【０１４０】
本例では、第１〜第ＫのＤ２Ｄ通信に対するＤ２Ｄ通信リソースＲ＃１〜Ｒ＃Ｋは、第１〜第Ｋの周波数帯域ＳＢ＃１〜ＳＢ＃Ｋによりそれぞれ識別される。
また、本例では、第１〜第ＫのＤ２Ｄ通信に対するＤ２Ｄ通信リソースＲ＃１〜Ｒ＃Ｋのそれぞれに、Ｄ２Ｄ通信リソースＲ＃１〜Ｒ＃Ｋに共通する品質通知リソースＣＲが関連付けられる。
【０１４１】
本例では、品質通知リソースＣＲは、第１〜第Ｋの周波数帯域ＳＢ＃１〜ＳＢ＃Ｋを含む周波数帯域により識別される。なお、品質通知リソースＣＲは、第１〜第Ｋの周波数帯域ＳＢ＃１〜ＳＢ＃Ｋからなる周波数帯域の一部により識別されてよい。例えば、品質通知リソースＣＲは、第１〜第Ｋの周波数帯域ＳＢ＃１〜ＳＢ＃Ｋのいずれか１つにより識別されてよい。また、品質通知リソースＣＲは、第１〜第Ｋの周波数帯域ＳＢ＃１〜ＳＢ＃Ｋと異なる周波数帯域により識別されてよい。
【０１４２】
本例では、Ｄ２Ｄ通信リソースＲ＃１〜Ｒ＃Ｋのそれぞれは、所定の周期Ｔ４が経過する毎に到来する期間により識別される。換言すると、Ｄ２Ｄ通信リソースＲ＃１〜Ｒ＃Ｋのそれぞれは、時間軸に沿って周期的に割り当てられる。換言すると、Ｄ２Ｄ通信リソースＲ＃１〜Ｒ＃Ｋのそれぞれは、時間軸に沿って周期的に位置する。また、本例では、品質通知リソースＣＲは、上記周期Ｔ４が経過する毎に到来する期間により識別される。換言すると、品質通知リソースＣＲは、時間軸に沿って周期的に割り当てられる。換言すると、品質通知リソースＣＲは、時間軸に沿って周期的に位置する。
【０１４３】
本例では、品質通知リソースＣＲは、Ｄ２Ｄ通信リソースＲ＃１〜Ｒ＃Ｋを識別する第１〜第Ｋの周波数帯域ＳＢ＃１〜ＳＢ＃Ｋを含む周波数帯域により識別されるとともに、Ｄ２Ｄ通信リソースＲ＃１〜Ｒ＃Ｋに後続する。
【０１４４】
第２実施形態に係る品質通知信号生成部２０４４は、Ｄ２Ｄ通信リソースに関連付けられた既知信号を品質通知信号として生成する。例えば、既知信号は、無線基地局１０と無線端末２０とにより予め知られている信号である。本例では、ある品質通知リソースに関連付けられた複数のＤ２Ｄ通信リソースに関連付けられた複数の既知信号は、Ｄ２Ｄ通信リソース間で互いに直交する。既知信号は、例えば、Ｚａｄｏｆｆ−Ｃｈｕ系列を用いて生成される。
【０１４５】
第２実施形態に係る送信信号生成部２０４は、品質通知信号が生成された場合、生成された品質通知信号に対して変調を行なわずに、当該品質通知信号を送信部２０５へ出力する。品質通知信号は、品質通知リソースＣＲを用いて品質通知信号が送信されるように出力される。
【０１４６】
一方、送信信号生成部２０４は、品質通知信号が生成されなかった場合、品質通知リソースを用いてブランク信号が送信されるようにブランク信号を送信部２０５へ出力する。本例では、ブランク信号の送信は、搬送波が変調されることなく送信されること、又は、予め定められたダミー信号の送信を表す
【０１４７】
第２実施形態に係るＤ２Ｄ通信制御部１０３２は、既知信号毎に、受信部１０１により受信された信号の、品質通知リソースに対する受信電力を取得する。既知信号毎の受信電力は、Ｄ２Ｄ通信リソース毎の受信電力の一例である。Ｄ２Ｄ通信リソース毎の、品質通知リソースに対する受信電力は、品質通知信号を送信する、Ｄ２Ｄ通信リソース毎の無線端末２０の数が多くなるほど大きくなる。
【０１４８】
Ｄ２Ｄ通信制御部１０３２は、Ｄ２Ｄ通信リソースのそれぞれに対して、取得した受信電力が所定の第２の閾値電力よりも大きい場合、Ｄ２Ｄ通信を抑制するＤ２Ｄ通信制御信号を送信信号生成部１０４へ出力する。Ｄ２Ｄ通信制御部１０３２は、Ｄ２Ｄ通信リソースのそれぞれに対して、取得した受信電力が上記第２の閾値電力よりも小さい場合、Ｄ２Ｄ通信を抑制するＤ２Ｄ通信制御信号を出力しない。
【０１４９】
第２実施形態に係る無線通信システム１は、第１実施形態に係る無線通信システム１と同様に動作する。これにより、第２実施形態に係る無線通信システム１は、第１実施形態に係る無線通信システム１と同様の作用及び効果を奏する。
【０１５０】
更に、第２実施形態に係る無線通信システム１において、複数のＤ２Ｄ通信リソースＲ＃１〜Ｒ＃Ｋを用いた複数のＤ２Ｄ通信の品質に応じて、複数の無線端末２０が、互いに直交する複数の品質通知信号を品質通知リソースＣＲを用いて、それぞれ送信する。
【０１５１】
これによれば、複数のＤ２Ｄ通信に対して共通する品質通知リソースＣＲが、複数の品質通知信号の送信に割り当てられる。これにより、Ｄ２Ｄ通信を行なう場合において無線リソースを有効に利用できる。
【符号の説明】
【０１５２】
１      無線通信システム
１０−１〜１０−Ｍ  無線基地局
１１    アンテナ
１１ａ  受信アンテナ
１１ｂ  送信アンテナ
１２    メモリ
１３    ＣＰＵ
１４    ＲＦ回路
１５    ＬＳＩ
１０１  受信部
１０２  受信信号復号部
１０３  通信制御部
１０３１  Ｄ２Ｄ無線リンク状態評価部
１０３２  Ｄ２Ｄ通信制御部
１０３３  無線リソース割当部
１０４  送信信号生成部
１０５  送信部
２０−１〜２０−Ｎ  無線端末
２１    アンテナ
２１ａ  受信アンテナ
２１ｂ  送信アンテナ
２２    メモリ
２３    ＣＰＵ
２４    ＲＦ回路
２５    ＬＳＩ
２６    入出力部
２０１  受信部
２０２  受信信号復号部
２０３  通信制御部
２０３１  Ｄ２Ｄ通信品質評価部
２０３２  無線測定部
２０４  送信信号生成部
２０４１  測定結果報告信号生成部
２０４２  通信要求信号生成部
２０４３  Ｄ２Ｄ通信信号生成部
２０４４  品質通知信号生成部
２０５  送信部
９１  無線基地局
９２−１〜９２−７    無線端末
ＮＷ    通信網
【図１】
2015198374.tif 000003
【図２】
2015198374.tif 000004
【図３】
2015198374.tif 000005
【図４】
2015198374.tif 000006
【図５】
2015198374.tif 000007
【図６】
2015198374.tif 000008
【図７】
2015198374.tif 000009
【図８】
2015198374.tif 000010
【図９】
2015198374.tif 000011
【図１０】
2015198374.tif 000012
【図１１】
2015198374.tif 000013
【図１２】
2015198374.tif 000014
【図１３】
2015198374.tif 000015
【図１４】
2015198374.tif 000016
【図１５】
2015198374.tif 000017
【図１６】
2015198374.tif 000018
【図１７】
2015198374.tif 000019
【図１８】
2015198374.tif 000020
【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
第１の無線リソースを用いた無線端末間通信の品質に応じて、前記無線端末のいずれかが、前記第１の無線リソースに関連付けられた第２の無線リソースを用いて、第１の信号を無線基地局に送信する、無線通信システム。
【請求項２】
請求項１に記載の無線通信システムであって、
前記無線基地局が、前記第１の無線リソースと関連付けられた第３の無線リソースを用いて、前記無線端末間通信を制御する第２の信号を前記無線端末へ送信する、無線通信システム。
【請求項３】
請求項２に記載の無線通信システムであって、
前記無線基地局は、前記無線端末間通信を抑制する信号を、前記第２の信号として、前記第３の無線リソースを用いて送信する、無線通信システム。
【請求項４】
請求項１乃至請求項３のいずれか一項に記載の無線通信システムであって、
前記無線端末は、前記無線端末間通信の品質が所定の閾値品質よりも低い場合、オンオフ変調においてオンに対応する信号を、前記第１の信号として、前記第２の無線リソースを用いて送信する、無線通信システム。
【請求項５】
請求項１乃至請求項４のいずれか一項に記載の無線通信システムであって、
無線リソースは、時間及び周波数により識別され、
前記第２の無線リソースは、時間軸に沿って周期的に割り当てられる、無線通信システム。
【請求項６】
請求項４に記載の無線通信システムであって、
前記無線端末間通信の品質は、前記無線端末の間で送信される無線信号の受信ＳＩＲ（Ｓｉｇｎａｌ  ｔｏ  Ｉｎｔｅｒｆｅｒｅｎｃｅ  Ｒａｔｉｏ）、前記無線端末の間で送信される無線信号の受信ＳＩＮＲ（Ｓｉｇｎａｌ−ｔｏ−Ｉｎｔｅｒｆｅｒｅｎｃｅ  Ｐｌｕｓ  Ｎｏｉｓｅ  Ｐｏｗｅｒ  Ｒａｔｉｏ）、又は、前記無線端末の間で送信される無線信号の受信信号に対する測定の結果から得られるＣＱＩ（Ｃｈａｎｎｅｌ  Ｑｕａｌｉｔｙ  Ｉｎｄｉｃａｔｉｏｎ）である、無線通信システム。
【請求項７】
請求項３に記載の無線通信システムであって、
前記第２の信号は、前記無線端末の送信電力を調整することに関する情報を含む、無線通信システム。
【請求項８】
請求項１乃至請求項７のいずれか一項に記載の無線通信システムであって、
前記第１の無線リソースを含む複数の無線リソースを用いた複数の無線端末間通信の品質に応じて、複数の無線端末が、互いに直交する複数の前記第１の信号を前記第２の無線リソースを用いて、それぞれ送信する、無線通信システム。
【請求項９】
請求項８に記載の無線通信システムであって、
前記第１の信号は、Ｚａｄｏｆｆ−Ｃｈｕシーケンスである、無線通信システム。
【請求項１０】
第１の無線リソースを用いた無線端末間通信の品質を検出する検出部と、
前記検出された品質に応じて、前記第１の無線リソースに関連付けられた第２の無線リソースを用いて、第１の信号を無線基地局に送信する送信部と、
を備える、無線端末。
【請求項１１】
第１の無線リソースを用いた無線端末間通信の品質を検出し、
前記検出された品質に応じて、前記第１の無線リソースに関連付けられた第２の無線リソースを用いて、第１の信号を無線基地局に送信する、
無線端末の通信方法。
【請求項１２】
無線端末間通信に対する第１の無線リソースの割り当てを制御する制御部と、
前記第１の無線リソースを用いた無線端末間通信の品質に応じて、前記無線端末のいずれかにより送信された第１の信号を、前記第１の無線リソースに関連付けられた第２の無線リソースを用いて受信する受信部と、
を備える、無線基地局。
【請求項１３】
無線端末間通信に対する第１の無線リソースの割り当てを制御し、
前記第１の無線リソースを用いた無線端末間通信の品質に応じて、前記無線端末のいずれかにより送信された第１の信号を、前記第１の無線リソースに関連付けられた第２の無線リソースを用いて受信する、
無線基地局の通信方法。
【国際調査報告】
2015198374.tif 000021
2015198374.tif 000022
2015198374.tif 000023
2015198374.tif 000024